(57)【特許請求の範囲】
【請求項１】
機器本体に少なくとも3本以上設けられ、一端部に機器本体からの抜け止め部とこの抜け止め部以外の部分に前記機器本体をそれぞれ伸退自在に移動させる螺旋状の溝部とを有し、他端部には前記螺旋状の溝部に回転を与えて進退動作させ前記機器本体の取付け角度および取付高さを調整する操作部とを有して成る調整支持脚と、該調整支持脚の前記操作部中心を軸として回転自在に設けた回転部材と、該回転部材の回転軸より離間して設けられた軸を中心に可動自在に設けた取付け部材とを備え、該取付け部材を介して前記機器本体を取付け面に固定し、前記回転部材の回転とを利用して前記機器本体の取付を調整することを特徴とする機器本体取付け装置。
【請求項２】
上記取付け部材は、上記回転部材の周縁部に設けられた蝶番機構により上記回転部材に対して水平まで開くように備えられたことを特徴とする請求項１記載の機器本体取付け装置。
【請求項３】
上記機器本体は、吊り下げ式と据え置き方式とに共用可能である投写型表示装置であることを特徴とする請求項１及至請求項２記載の機器本体取付け装置。
【発明の詳細な説明】
【技術分野】
【０００１】
この発明は、機器本体が投写型表示装置等の吊下げ方式と据え置き方式とに共用できる機器本体取付け装置に関するものである。
【背景技術】
【０００２】
従来の投写型表示装置等の機器本体を天井等の収付け面に吊下げて取付ける場合、スクリーンへの投写図面（以下「画面」という）の上下位置および傾き調整を可能にする機構が付加されている。
【０００３】
この種の機器本体取付け装置である例えば、特許文献１（特開平９−１６６９６４号公報）に開示されている機器本体取付け装置では、取付け面（例えば、天井など）にアダプタープレートが装着され、投写型表示装置（以下「機器本体」という）には前記アダプタープレートに引っかけるアングルが固定されている。このアングルには偏心ピンが回動可能に設けており、本体圧入部とプレート嵌合部、ドライバー溝部からなり、本体圧入部とプレート嵌合部とは偏心して一体化されている。
【０００４】
この偏心ピンのププレート嵌合部がアダプタープレートに設けられた嵌合溝に挿入され、機器本体が吊下げられる。次いで、偏心ピンのドライバー溝部にドラバーを挿入し、偏心ピンを回動させて上下・傾き調整を行っている。
【０００５】
【特許文献１】特開平９−１６６９６４号公報
【発明の開示】
【発明が解決しようとする課題】
【０００６】
上記特許文献１に記載の機器本体取付け装置は、天井に固定されたアダプタープレートの別金具が必要である。また、吊下げた状態で偏心ピンのドライバー溝部にドラバーを挿入して調整をするため工具が必要である。
【０００７】
さらに、吊下げ状態で調整作業と偏心ピンで締結を行うため締結が不十分となるおそれがある。
【０００８】
そこで、この発明は上述の問題点に鑑みてなされたものであり、機器本体の取付けが確実にできるとともに、工具を必要とせずに上下・傾き調整が容易にできる機器本体取付け装置を提供することを目的とする。
【課題を解決するための手段】
【０００９】
この発明の機器本体取付け装置は、機器本体に少なくとも3本以上設けられ、一端部に機器本体からの抜け止め部とこの抜け止め部以外の部分に前記機器本体をそれぞれ伸退自在に移動させる螺旋状の溝部とを有し、他端部には前記螺旋状の溝部に回転を与えて進退動作させ前記機器本体の取付け角度および取付高さを調整する操作部とを有して成る調整支持脚と、該調整支持脚の前記操作部中心を軸として回転自在に設けた回転部材と、該回転部材の回転軸より離間して設けられた軸を中心に可動自在に設けた取付け部材とを備え、該取付け部材を介して前記機器本体を取付け面に固定し、前記回転部材の回転とを利用して前記機器本体の取付け位置を調整するようにしたものである。
【発明の効果】
【００１０】
この発明の機器取付け装置によれば、調整支持脚の操作部を回転させることにより吊下げた状態のままで機器本体の傾き角度および高さ調整が容易にできる。また、この操作部中心を軸として回転自在な回転部材に設けた該回転部材の回転軸より離間して設けられた軸を中心に可動自在な取付け部材により、取付け用の別部材を必要とせずに機器本体を天井等の取付け面に固定することができる。
【発明を実施するための最良の形態】
【００１１】
以下、この発明の実施の形態を、図面を参照して説明する。
なお、各図面において同一符号は同一あるいは相当部分を示す。
【００１２】
実確の形態１．
図１は、この発明の実施の形態１に係る機器本体取付け装置の部分分解を示す斜視図である。図に示されるように、機器本体１０の上壁面１０ａには雌ねじ孔１１が設けられている。
調整支持脚２１は、一端部に雌ねじ孔１１に噛み込む雄ねじ部（螺旋状の溝部）２１ａと先端に機器本体１０からの抜け止め部２１ｂと他端部に操作部２１ｄとこの操作部２１ｄの中心に雌ねじ孔２１ｃとで構成している。機器本体取付け装置２０は、調整支持脚２１の操作部２１ｄに取付けられる回転部材（回転板）２２とこの回転板２２に取付けられる取付け部材（取付け板）２３とで構成されており、回転板２２には中心部に段付き貫通孔２２ｃとこの貫通孔２２ｃから等間隔で孔２２ａ、２２ｂが設けられており、調整支持脚２１の雌ねじ孔２１ｃに貫通孔２２ｃから段付きねじ２４ａで回転自在に取付けられている。
【００１３】
また、取付け板２３には、回転板２２の雌ねじ孔２２ａ、２２ｂに対向した距離に段付き貫通孔２３ａ、２３ｂが設けられ、この貫通孔２３ａ、２３ｂに段付きねじ２４ｂと固定用ねじ２５とで回転板２２に取付けられている。
【００１４】
以上のように構成された調整支持脚２１と機器本体取付け装置２０は、機器本体１０の上壁面１０ａに少なくとも３箇所設けられた雌ねじ孔１１に調整支脚２１の雄ねじ部２１ａをねじ込み、先端の抜け止め部２１ｂに抜け止め用Ｅリング２６を取付けて機器本体１０に組み込まれる。
【００１５】
この状態の機器本体１０の吊下げ手順を図２の機器取付け装置を投写型画像表示装置に採用した分解斜視図を用いて説明する。機器本体（投写型画像表示装置）１０の調整支持脚２１に設けられた取付け装置２０の取付け板２３の固定ねじ２５を取外し、段付きねじ２４を回転中心として取付け板２３を図中の矢印方向に回転させる。その後、取付け面（天井など）４０に設けられたアンカーボルト３０に固定ねじ２５を取外した取付け板２３の貫通孔２３ａ、２３ｂのどもちかを挿入し、アンカーボルト３０にナット３１をねじ込みながら取付け面４０に取付け板２３を密着させて固定する。
【００１６】
上記のように固定した機器本体１０の調整方法について説明する。取付け板２３を設け、回転自在である回転板２２を介して調整支持脚２１の操作部２１ｄを回すことにより、雄ねじ部（螺旋状の溝部）２１ａが回転して機器本体１０を進退移動させて高さおよび角度の調整を行う。このように、調整支持脚２１の操作部２１ｄを回転させるだけで容易に調整ができる。
また、据え置き（机上に設置した）状態においても、回転自在である回転板２２により、調整支持脚２１が回転自在となるので操作部２１ｄを回すだけで機器本体１０を進退移動させて高さおよび角度の調整を容易に行うことができる。
【００１７】
実施の形態２．
図３は、この発明の実施の形態２に係る機器本体取付け装置の部分分解を示す斜視図である。図に示されるように、機器本体１０の上壁面１０ａには雌ねじ孔１１が設けられている。調整支持脚２１は、一端部に雌ねじ孔１１に噛み込む雄ねじ部（螺旋状の溝部）２１ａと先端に機器本体１０からの抜け止め部２１ｂと他端部に操作部２１ｄとこの操作部２１ｄの中心に雌ねじ孔２１ｃとで構成している。機器本体取付け装置２０は、調整支持脚２１の操作部２１ｄに取付けられる回転部材（回転板）５０とこの回転板５０に取付けられる取付け部材（取付け板）５１とで構成されており、回転板５０には中心部に段付き貫通孔５０ｃとこの貫通孔５０ｃから離れて雌ねじ孔５０ｂと貫通孔５０ｃに直交する方向に貫通孔５２ｂを設けてなる凸部５２ｃが設けられており、調整支持脚２１の雌ねじ孔２１ｃに貫通孔５０ｃから段付きねじ２４ａで回転自在に取付けられている。
【００１８】
また、取付け板５１には、回転板５０の雌ねじ孔５０ｂに対向した距離に段付き貫通孔５１ｂが設けられ、対向側には回転板５０に設けられた凸部５２ｃに嵌まり込む凹部５２ｆと貫通孔５２ｂに合致した貫通孔５２ｄ、雌ねじ孔５２ｅを有した蝶番機構５２が設けられている。この貫通孔５２ｄと貫通孔５２ｂとに挿入され、雌ねじ孔５２ｅで固定する蝶番軸５２ａで回転板５０に取付けられ、対向側を固定用ねじ２５で固定されている。
【００１９】
以上のように構成された調整支持脚２１と機器本体取付け装置２０は、機器本体１０の上壁面１０ａに少なくとも３箇所設けられた雌ねじ孔１１に調整支持脚２１の雄ねじ部２１ａをねじ込み、先端の抜け止め部２１ｂに抜け止め用Ｅリング２６を取付けて機器本体１０に組み込まれる。
【００２０】
この状態の機器本体１０の吊下げ手順を図４の機器取付け装置を投写型画像表示装置に採用した分解斜視図を用いて説明する。機器本体（投写型画像表示装置）１０の調整支持脚２１に設けられた取付け装置２０の取付け板５１の固定ねじ２５を取外し、蝶番軸５２ａを回転中心として取付け板５１を図中の矢印方向に回転板５０に対して水平まで回転させる。その後、取付け面（天井など）４０に設けられたアンカーボルト３０に固定ねじ２５を取外した取付け板５１の貫通孔５１ｂを挿入し、アンカーボルト３０にナット３１をねじ込みながら取付け面４０に取付け板５１を密着させて固定する。
【００２１】
上記のように固定した機器本体１０の調整方法について説明する。取付け板５１を設け、回転自在である回転板５０を介して調整支持脚２１の操作部２１ｄを回すことにより、雄ねじ部（螺旋状の溝部）２１ａが回転して機器本体１０を進退移動させて高さおよび角度の調整を行う。このように、調整支持脚２１の操作部２１ｄを回転させるだけで容易に調整ができる。
また、据え置き（机上に設置した）状態においても、回転自在である回転板５０により、調整支持脚２１が回転自在となるので操作部２１ｄを回すだけで機器本体１０を進退移動させて高さおよび角度の調整を容易に行うことができる。
【図面の簡単な説明】
【００２２】
【図１】この発明の実施の形態１に係る機器本体取付け装置の部分分解を示す斜視図である。
【図２】実施の形態１に係る機器取付け装置を投写型画像表示装置に採用した分解斜視図である。
【図３】この発明の実施の形態２に係る機器本体取付け装置の部分分解を示す斜視図である。
【図４】実施の形態２に係る機器本体取付け装置を投写型画像表示装置に採用した分解斜視図である。
【符号の説明】
【００２３】
１０  機器本体、１０ａ  機器本体の上壁面、１１  雌ねじ孔、
２０  機器本体取付け装置、２１  調整支持脚、２１ａ  雄ねじ部、
２１ｂ  抜け止め部、２１ｃ  雌ねじ孔、２１ｄ  操作部、２２  回転板、
２２ａ、２２ｂ  雌ねじ孔、２２ｃ  段付き貫通孔、２３  取付け板、
２３ａ、２３ｂ  段付き貫通孔、２４ａ、２４ｂ  段付きねじ、
２５  固定用ねじ、２６  抜け止め用Ｅリング、３０  アンカーボルト、
３１  ナット、４０  取付け面、５０  回転板、５０ｂ  雌ねじ孔、
５０ｃ  段付き貫通孔、５１  取付け板、５１ｂ  段付き貫通孔、５２  蝶番機構、
５２ａ  蝶番軸、５２ｂ  貫通孔、５２ｃ  凸部、５２ｄ  貫通孔、
５２ｅ  雌ねじ孔、５２ｆ  凹部。
【図１】
0004738239.tif 000002
【図２】
0004738239.tif 000003
【図３】
0004738239.tif 000004
【図４】
0004738239.tif 000005